(57)【要約】      （修正有）【課題】機器構成時に発生するトラブルを予測することで、製品のトラブル発生時の再設計の工数を低減させる。【解決手段】機器構成データ１０２とトラブルデータ１０３とトラブル機器データ１０４を格納する記憶装置１０１と、作業者が入力した機器構成を登録処理する機器構成処理部１１０と、作業者が入力したトラブル情報を登録処理するトラブル登録部１０７と、機器構成に対しトラブルの発生を予測するトラブル予測部１０８とを有し、トラブル情報とトラブルの原因である機器の組合から、機器構成時に発生する可能性があるトラブルを予測する。【選択図】図１
2010211602.tif 000002
【特許請求の範囲】
【請求項１】
機器構成データとトラブルデータとトラブル機器データを格納するデータ格納手段と、作業者が入力した機器構成を登録処理する機器構成処理手段と、作業者が入力したトラブル情報を登録処理するトラブル登録手段と、機器構成に対しトラブルの発生を予測するトラブル予測手段とを有することを特徴とする機器構成システム。
【請求項２】
トラブル登録手段は、トラブルに関わる機器組合せ情報であるトラブル機器データと共にトラブルデータを登録することを特徴とする請求項１に記載の機器構成システム。
【請求項３】
トラブル予測手段は、機器構成データをもとに、トラブル機器データとトラブルデータより機器構成で発生する可能性があるトラブルを予測することを特徴とする請求項１に記載の機器構成システム。
【発明の詳細な説明】
【技術分野】
【０００１】
本発明は、機器構成の構築時に製品トラブルの予測を可能とする機器構成システムに関する。
【背景技術】
【０００２】
製品を設計する際、製品の機器構成を構築する。このとき製品にトラブルが発生しないようにするため、事前に類似する製品や関連する製品などに過去にトラブルが発生していないか調べる必要がある。従来は、特許文献１にあるトラブル履歴検索方法などを利用して、設計担当者が発生しそうなトラブルを予測して過去に発生したトラブルを検索し、そのトラブルの対処法を確認した上で、トラブルが再発しないような機器構成の構築を行うようにしていた。
【先行技術文献】
【特許文献】
【０００３】
【特許文献１】特開平１０−６３５４９号公報
【発明の概要】
【発明が解決しようとする課題】
【０００４】
しかしながら、トラブルの検索には、設計担当者がトラブル内容など検索条件として指定する必要があり、ある程度発生しそうなトラブルを予測して検索を行う必要があった。このため、過去に発生したトラブルであっても、設計担当者が予測していないトラブルは検索できないことがあり、過去に発生したトラブルを再発させるおそれがあった。また、トラブル検索結果が、機器構成の組合せが原因で発生するトラブルなのか判断できないため、検索結果のトラブル内容を確認し、機器構成の構築時に対処可能か判断する必要があった。
【０００５】
本出願に係る第１の発明の目的は、製品のトラブルによって発生する再設計の工数を短縮することであり、トラブルが発生する可能性がある機器の組合せを機器構成の段階で設計担当者に通知する手段を有するシステムを提供することである。
【０００６】
本出願に係る第２の発明の目的は、製品のトラブルによって発生する再設計の工数を短縮することであり、製品で発生したトラブルに対して原因となった機器の組合せ情報をトラブル情報と共に登録する手段を有する方法を提供することである。
【０００７】
本出願に係る第３の発明の目的は、製品のトラブルによって発生する再設計の工数を短縮することであり、トラブル情報とトラブルの原因となる機器の組合せより、設計中の機器構成で発生する可能性のあるトラブルを予測する手段を有する方法を提供することである。
【課題を解決するための手段】
【０００８】
上記目的を達成するために、本出願にかかわる第１の発明は、
機器構成データとトラブルデータとトラブル機器データを格納するデータ格納手段と、作業者が入力したトラブル情報を登録処理するトラブル登録手段と、作業者が入力した機器構成を登録処理する機器構成処理手段と、機器構成に対しトラブルの発生を予測するトラブル予測手段を有することで、トラブルが発生する可能性がある機器の組合せを機器構成の段階で設計担当者に通知することができる。
【０００９】
本出願にかかわる第２の発明として、トラブルに関わる機器組合せ情報であるトラブル機器データと共にトラブルデータを登録する手段を有することで、製品で発生したトラブルに対して原因となった機器の組合せ情報をトラブル情報と共に登録することができる。
【００１０】
本出願にかかわる第３の発明として、機器構成データをもとに、トラブル機器データとトラブルデータより機器構成で発生する可能性があるトラブルを予測する手段を有することで、トラブル情報とトラブルの原因となる機器の組合せより設計中の機器構成で発生する可能性のあるトラブルを予測することができる。
【発明の効果】
【００１１】
上記のように構成された本発明のトラブル予測手段を有する機器構成システムによれば、設計担当者は、構築した機器構成に対して過去のトラブル情報をもとに機器の組合せによるトラブルが発生する可能性を事前に予測することが可能であるため、設計担当者が予測していないトラブルを再発させるおそれがなくなり、機器の組合せによるトラブルを未然に防ぐことができる。これにより製品のトラブルによって発生する再設計の工数を短縮することが可能となる。
【図面の簡単な説明】
【００１２】
【図１】トラブル予測手段を有する機器構成システムの構成図
【図２】トラブルデータのテーブルの一例を示す図
【図３】トラブル機器データのテーブルの一例を示す図
【図４】トラブルデータの登録を行う画面の一例を示す図
【図５】機器構成の登録を行う画面の一例を示す図
【図６】トラブル予測結果を表示する画面の一例を示す図
【図７】機器構成の一例を示す図
【図８】機器構成データのテーブルの一例を示す図
【発明を実施するための形態】
【００１３】
図１は本発明に係るトラブル予測手段を有する機器構成システムの構成図である。トラブル予測手段を有する機器構成システムは、トラブル予測システムの情報を管理する記憶装置１０１と設計担当者が入力を行う入力装置１１２と設計担当者の入力に対して処理を行う処理装置１０５と処理装置１０５の処理内容を表示する表示装置１１１から構成される。記憶装置１０１は、機器構成のデータを保持する機器構成データ１０２とトラブルのデータを保持するトラブルデータ１０３とトラブルに関わる機器データを保持するトラブル機器データ１０４を具備する。データ処理装置１０５は、入力装置１１２からの入力と表示装置１１１への出力を処理する入出力部１０９と入出力部１０９から渡された入力に基づき機器構成情報を処理する機器構成処理部１１０と入出力部１０９から渡された入力に基づきトラブル情報を登録するトラブル登録部１０７と入出力部１０９から渡された入力に基づきトラブル情報を予測するトラブル予測部１０８と記憶装置１０１に対して検索処理と登録処理を行うデータ操作部１０６を具備する。図２のトラブルデータ２０１は、トラブルのデータを保持するトラブルデータ１０３の具体例である。
【００１４】
図３のトラブル機器データ３０１は、トラブルに関わる機器データを保持するトラブル機器データ１０４の具体例である。
【００１５】
図８の機器構成データ８０１は、機器構成のデータを保持する機器構成データ１０２の具体例である。
【００１６】
図４は、トラブルが発生した際トラブル情報をトラブルデータ１０３へ登録するための入力画面の一例である。トラブル登録画面４０１は、新規にトラブルデータを作成するトラブル新規ボタン４０２とトラブル番号を表示するトラブル番号表示項目４０３と登録処理を行うトラブル登録ボタン４０４とトラブル機器選択リストボックス４０５とトラブルが発生した機器を表示するトラブル発生機器リスト４０７とトラブル機器選択リストボックス４０５で選択した機器をトラブル発生機器リスト４０７に追加するトラブル機器追加ボタン４０６とトラブルの内容を表示するトラブル内容項目４０８とトラブルに対しての対策内容を表示するトラブル対策内容項目４０９を具備する。
【００１７】
図５は、製品の機器構成を登録するための入力画面の一例である。機器構成登録画面５０１は、製品番号を表示する製品番号表示項目５０２と機器構成の登録処理を行う機器構成登録ボタン５０３と構成機器選択リストボックス５０４と機器構成をツリー表示する機器構成表示項目５０７と構成機器選択リストボックス５０４で選択した機器を機器構成表示項目５０７に追加する機器追加ボタン５０５と機器構成表示項目５０７で選択した機器を機器構成表示項目５０７より削除する機器削除ボタンと機器構成表示項目５０７に表示されている機器構成に対して発生する可能性があるトラブルを表示する画面を呼出すトラブル表示ボタン５０８を具備する。
【００１８】
図６は、機器構成表示項目５０７に対して発生する可能性があるトラブルを表示する画面の一例である。機器構成トラブル一覧画面６０１は、予測トラブルを表示するトラブル表示リスト６０２と機器構成トラブル一覧画面６０１を閉じるトラブル表示閉じるボタン６０３を具備する。
【００１９】
図７の機器構成例７０１は、機器構成表示項目５０７に表示される製品の機器構成の一例である。
【００２０】
次にトラブルデータの登録処理を説明する。
【００２１】
製品にトラブルが発生した際、トラブル入力担当者は、トラブル登録画面４０１を開く。トラブル登録画面４０１でトラブル新規ボタン４０２を押すとトラブル番号表示項目４０３には新規にトラブル番号が発番される。トラブル入力担当者は、トラブルが発生した機器をトラブル機器選択リストボックス４０５より選択し、トラブル機器追加ボタン４０６を押す。トラブル機器追加ボタン４０６を押すことで、トラブル機器選択リストボックス４０５に選択されている機器が、トラブル発生機器リスト４０７にセットされる。トラブル入力担当者は、トラブル機器選択リストボックス４０５とトラブル追加ボタン４０６を使用し、製品に発生したトラブルに関わる機器の組合せをトラブル発生機器リスト４０７にセットする。トラブル発生機器リスト４０７に機器をセットした後、トラブル内容項目４０８にトラブル内容の説明を記述し、トラブル対策内容項目４０９に発生したトラブルの対策を記述する。トラブル発生機器リスト４０７とトラブル内容項目４０８とトラブル対策内容項目４０９への入力が完了した後、トラブル入力担当者は、トラブル登録ボタン４０４を押す。トラブル登録ボタン４０４が押されるとトラブル登録画面４０１に入力した内容はトラブル登録部１０７に渡される。トラブル登録部１０７では、トラブル発生機器リスト４０７にセットされている内容をトラブル番号表示項目４０３に表示されているトラブル番号をキーとしてデータ操作部１０６にデータ登録要求を出す。要求を受けたデータ操作部１０６は、トラブル機器データ１０４にデータを登録する。同様に、トラブル発生機器リスト４０７以外の項目もトラブル番号をキーとして、データ操作部１０６を介してトラブルデータ１０３に登録する。図４の例の場合、トラブル発生機器リスト４０７には、「機器Ｄ」「機器Ｆ」の組合せがセットされているため、トラブル番号表示項目４０３に表示されている「０００００１」をトラブル番号としてトラブル機器データ１０４にデータを登録する。トラブル機器データ１０４に登録されたデータは、トラブル機器データ３０１に示すように、トラブル番号「０００００１」に対して「機器Ｄ」「機器Ｆ」の２行のデータとして保持される。また、トラブル発生機器リスト４０７以外の項目に関しては、トラブルデータ１０３に登録するのであるが、そのときのデータはトラブルデータ２０１が示すようにトラブル番号「０００００１」をキーにして１行のデータとして保持される。
【００２２】
次に設計担当者が製品の機器構成を作成する手順を説明する。
【００２３】
図５において、設計担当者は、機器構成登録画面５０１を開く。一意な製品番号を製品番号表示項目５０２に入力すると機器構成表示項目５０７には製品番号が表示される。ここで機器構成表示項目５０７の製品番号をマウスでクリックして選択した状態にし、構成機器選択リストボックス５０４より製品を構成する機器を選択し機器追加ボタン５０５を押すと、機器構成表示項目５０７の製品番号の下に構成機器選択リストボックス５０４で選択した機器がセットされる。同様に機器構成表示項目５０７の機器をマウスでクリックして選択し、構成機器選択リストボックス５０４より製品を構成する機器を選択し機器追加ボタン５０５を押す事で、機器の下に機器を追加することができる。この作業を繰り返すことで、機器構成表示項目５０７に製品番号を根とした機器のツリー構成し、機器構成を構築する。尚、誤って機器を機器構成表示項目５０７に追加してしまった際には、対象の機器をマウスでクリックして選択し、機器削除ボタン５０６を押すことでその機器以下の構成を削除できる。機器構成の構築後、設計担当者は機器構成登録ボタン５０３を押す。機器構成登録ボタン５０３が押されると機器構成登録画面５０１に入力した機器構成は機器構成処理部１１０に渡される。機器構成処理部１１０では、機器構成表示項目５０７にセットされている内容を製品番号表示項目５０２に表示されている製品番号をキーにしてデータ操作部１０６にデータ登録要求を出す。要求を受けたデータ操作部１０６は、機器構成データ１０２にデータを登録する。図５の例の場合、機器構成登録画面５０１の製品番号表示項目５０２の「Ａ００００５」をキーとして機器構成データ１０２に機器構成表示項目５０７の内容を登録する。尚、機器構成表示項目５０７の内容は、図７の機器構成表示項目例７０１に別途示す。機器構成データ１０２には、機器構成表示項目例７０１にセットされた機器の数分レコードができるため、機器構成データ８０１が示すように１１行のデータとして保持される。
【００２４】
次に設計担当者が作成した機器構成に関して、トラブルが発生する可能性がないか確認する手順を説明する。
【００２５】
設計担当者が機器構成登録画面５０１で機器構成を作成し図８の機器構成データ８０１に構成を登録した後、トラブル表示ボタン５０８を押す。トラブル表示ボタン５０８が押されると、製品番号表示項目５０２に表示されている製品番号「Ａ００００５」がトラブル予測部１０８に渡される。トラブル予測部１０８は、製品番号「Ａ００００５」が渡されると、製品番号「Ａ００００５」をキーとして機器構成データ８０１に対して検索を行い、構成機器のデータを取得する。取得した構成機器のデータに対して、親機器が同じ機器があるか確認する。機器構成データ８０１から製品番号「Ａ００００５」に関して検索した場合、親機器が同じ機器の組合せは、（機器Ａ、機器Ｌ）、（機器Ｂ、機器Ｇ）、（機器Ｃ、機器Ｄ、機器Ｆ）、（機器Ｈ、機器Ｉ、機器Ｊ、機器Ｋ）となる。トラブル予測部１０８は、前記機器の組合せを必要十分な機器として持つトラブルをトラブル機器データ３０１より検索する。但し、前記機器の組合せが３機器以上ある場合は、機器の組合せに対して全組合せを出してトラブル機器データ３０１に対して検索を行う。例えば、（機器Ｃ、機器Ｄ、機器Ｆ）の組合せに対しては、（機器Ｃ、機器Ｄ）、（機器Ｃ、機器Ｆ）、（機器Ｄ、機器Ｆ）、（機器Ｃ、機器Ｄ、機器Ｆ）の４通りであり、この組合せと同じ機器を持つトラブルをトラブル機器データ３０１より検索する。トラブル機器データ３０１の一例では、（機器Ｄ、機器Ｆ）の組合せを持つトラブル番号「０００００１」と（機器Ｈ、機器Ｉ、機器Ｊ）の組合せを持つトラブル番号「０００００４」が検索される。尚、機器構成データ８０１の組合せの１つである（機器Ｃ、機器Ｄ）は、トラブル機器データ３０１のトラブル番号「０００００３」の組合せ（機器Ｃ、機器Ｄ、機器Ｖ）と一部一致するが、機器Ｖがないため、トラブルを発生する機器の組合せとはならず、検索結果として返ってこない。トラブル番号「０００００１」「０００００４」を取得するとトラブル予測部１０８は、取得したトラブル番号を条件としてトラブルデータ２０１に対して検索を行い、トラブル内容、対策などのデータを取得した後、機器構成トラブル一覧画面６０１を開き、機器の組合せと共にトラブル表示リスト６０２に表示する。尚、機器構成データ８０１をもとにトラブル機器データ３０１を取得する際、本実施例では、同じ親機器を持つ機器単位に行ったが、機器構成全体で検索を行っても良い。また、本実施例では、トラブル機器データ３０１が持つ機器を全て網羅していないとトラブル番号を取得しないようにしていたが、一部が一致しただけでもトラブル対象としてトラブル番号を取得してもかまわない。
【００２６】
以上により、設計担当者が構築した機器構成に対して、過去発生したトラブルと同じ機器の組合せを持つトラブルを表示することが可能となる。
【符号の説明】
【００２７】
１０１  記憶装置
１０２  機器構成データ
１０３  トラブルデータ
１０４  トラブル機器データ
１０５  処理装置
１０６  データ操作部
１０７  トラブル登録部
１０８  トラブル予測部
１０９  入出力部
１１０  機器構成処理部
１１１  表示装置
１１２  入力装置
２０１  トラブルデータ
３０１  トラブル機器データ
４０１  トラブル登録画面
４０２  トラブル新規ボタン
４０３  トラブル番号表示項目
４０４  トラブル登録ボタン
４０５  トラブル機器選択リストボックス
４０６  トラブル機器追加ボタン
４０７  トラブル発生機器リスト
４０８  トラブル内容項目
４０９  トラブル対策内容項目
５０１  機器構成登録画面
５０２  製品番号表示項目
５０３  機器構成登録ボタン
５０４  構成機器選択リストボックス
５０５  機器追加ボタン
５０６  機器削除ボタン
５０７  機器構成表示項目
５０８  トラブル表示ボタン
６０１  機器構成トラブル一覧画面
６０２  トラブル表示リスト
６０３  トラブル表示閉じるボタン
７０１  機器構成表示項目例
８０１  機器構成データ
【図１】
2010211602.tif 000003
【図２】
2010211602.tif 000004
【図３】
2010211602.tif 000005
【図４】
2010211602.tif 000006
【図５】
2010211602.tif 000007
【図６】
2010211602.tif 000008
【図７】
2010211602.tif 000009
【図８】
2010211602.tif 000010